(57)【要約】【課題】本発明の目的は、配索部内を配索された電線の噛み込みを抑制できるバスバモジュール及び電源装置を提供することにある。【解決手段】バスバモジュール１は、各電極２２、２３が直線上に並ぶように配列された複数の電池２０のうち隣接する電池の電極同士を接続することでこれら複数の電池を直列に接続する複数のバスバ３と、各バスバに接続される端子４と、複数のバスバ及び、複数の端子を収容するケース６と、を備えている。ケースには、電池の配列方向に沿って設けられて、端子に接続される電線５を配列方向Ｙに沿って配索させる樋形状の配索部８と、該配索部の開口を覆うカバー９１と、が設けられ、配索部とカバーとの間には、配索部とカバーとのうちいずれか一方から突出して形成されて、他方に当接される突出部８３が設けられている。【選択図】図１
2014220067.tif 000002
【特許請求の範囲】
【請求項１】
各電極が直線上に並ぶように配列された複数の電池のうち隣接する電池の電極同士を接続することでこれら複数の電池を直列に接続する複数のバスバと、
前記各バスバに接続される端子と、
前記複数のバスバ及び、前記複数の端子を収容するケースと、を備えたバスバモジュールであって、
前記ケースには、
前記電池の配列方向に沿って設けられて、前記端子に接続される電線を前記配列方向に沿って配索させる樋形状の配索部と、
該配索部の開口を覆うカバーと、が設けられ、
前記配索部と前記カバーとの間には、前記配索部と前記カバーとのうちいずれか一方から突出して形成されて、他方に当接される突出部が設けられていることを特徴とするバスバモジュール。
【請求項２】
前記突出部は、突出方向に向かうに従って前記配列方向の寸法が徐々に小さくなるように形成されていることを特徴とする請求項１記載のバスバモジュール。
【請求項３】
前記配索部に並設されて、前記各バスバ、及び、前記各端子を収容する複数の収容部と、
前記カバーに連続されているとともに、前記収容部と連結された連結部と、をさらに備え、
前記連結部には、係止部が設けられ、
前記配索部は、底壁と、該底壁から立設して互いに対向する一対の対向壁と、を備え、
前記一対の対向壁のうち、前記収容部から離れた側の一方の前記対向壁には、前記突出部が設けられ、
前記収容部に近接した側の他方の前記対向壁には、その外面に、前記係止部に係止される係止受け部が設けられ、
前記係止部が前記係止受け部に係止されることにより、前記カバーによって前記配索部の開口を覆った状態が維持されることを特徴とする請求項１又は請求項２記載のバスバモジュール。
【請求項４】
前記係止部及び前記係止受け部は、前記突出部の前記配列方向側に位置をずらされて設けられていることを特徴とする請求項３記載のバスバモジュール。
【請求項５】
正極及び負極が交互に逆向きに重ね合わされた複数の電池から構成された電池集合体と、
請求項１乃至請求項４のうちいずれか一項に記載されたバスバモジュールと、を備えたことを特徴とする電源装置。
【発明の詳細な説明】
【技術分野】
【０００１】
本発明は、バスバモジュール及び電源装置に係り、特に、複数の電池を直列に接続するためのバスバモジュールと、当該バスバモジュールを有する電源装置に関する。
【背景技術】
【０００２】
例えば、電動モータを用いて走行する電気自動車や、エンジンと電動モータとを併用して走行するハイブリット自動車などには、前記電動モータの駆動源として上記電源装置が搭載されている。この電源装置には、特許文献１に記載されたような一対のバッテリ接続プレートが用いられている。
【０００３】
図４に示すバッテリ接続プレート１００は、一端に正の電極、他端に負の電極を有するバッテリ（角形バッテリ）を交互に逆向きに重ね合わせて形成したバッテリ集合体（図示しない）に取り付けられて、重ね合わせたバッテリ同士を直列に接続するものである。各バッテリ接続プレート１００は、成形金型を用いて樹脂一体成形される樹脂プレート１０６と、樹脂プレート１０６の一端に位置する第１収容部１０７に嵌め込まれる電源用端子１０５と、樹脂プレート１０６の他端側に位置する複数の第２収容部１０８に嵌め込まれるとともに複数の電池を直列に接続する複数の二つ孔付きバスバ１０３と、これらのバスバ１０３に重ねて接続されて電圧を検出する電圧検出用端子（図示しない）と、を備えて構成されている。第１収容部１０７及び複数の第２収容部１０８は、複数の電池の重なり方向（矢印Ｙ）に沿って連結されている。
【０００４】
樹脂プレート１０６は、互いに直線上に連結された第１収容部１０７、及び複数の第２収容部１０８と、複数の電圧検出用端子に接続された複数の信号線（図示しない）を矢印Ｙに沿って配索する樋状の配索溝１０９と、配索溝１０９の開口のうち所定位置を覆う複数の溝カバー１１０と、を一体に備えて構成されている。溝カバー１１０は、ヒンジ１１２を介して配索溝１０９の開口端部に１８０度回動自在に連結されている。この溝カバー１１０は、配索溝１０９の開口を露出する開位置と、開位置から１８０度回動されて配索溝１０９の開口を閉じる閉位置と、に変位自在に設けられている。また、溝カバー１１０を閉位置に位置付けた状態を維持するために、溝カバー１１０には係止部１１３が設けられ、配索溝１０９の開口縁部には、係止部１１３が係止する係止受け部１１４が設けられている。
【先行技術文献】
【特許文献】
【０００５】
【特許文献１】特開２００４−９８２９５号公報
【発明の概要】
【発明が解決しようとする課題】
【０００６】
しかしながら、上述した従来のバッテリ接続プレート１００にあっては、溝カバー１１０を閉位置に位置付けた状態では、溝カバー１１０と配索溝１０９の開口縁部とが、溝カバー１１０の矢印Ｙ方向の全長に亘って重ねられているから、配索溝１０９に配索された信号線を溝カバー１１０と配索溝１０９との間に挟み込む（噛み込む）虞れがあった。
【０００７】
本発明は、配索部内を配索された電線の噛み込みを抑制できるバスバモジュール及び電源装置を提供することを目的とする。
【課題を解決するための手段】
【０００８】
請求項１記載の本発明は、各電極が直線上に並ぶように配列された複数の電池のうち隣接する電池の電極同士を接続することでこれら複数の電池を直列に接続する複数のバスバと、前記各バスバに接続される端子と、前記複数のバスバ及び、前記複数の端子を収容するケースと、を備えたバスバモジュールであって、前記ケースには、前記電池の配列方向に沿って設けられて、前記端子に接続される電線を前記配列方向に沿って配索させる樋形状の配索部と、該配索部の開口を覆うカバーと、が設けられ、前記配索部と前記カバーとの間には、前記配索部と前記カバーとのうちいずれか一方から突出して形成されて、他方に当接される突出部が設けられていることを特徴とするバスバモジュールである。
【０００９】
請求項２記載の本発明は、請求項１記載の本発明において、前記突出部は、突出方向に向かうに従って前記配列方向の寸法が徐々に小さくなるように形成されていることを特徴とする。
【００１０】
請求項３記載の本発明は、請求項１又は請求項２記載の本発明において、前記配索部に並設されて、前記各バスバ、及び、前記各端子を収容する複数の収容部と、前記カバーに連続されているとともに、前記収容部と連結された連結部と、をさらに備え、前記連結部には、係止部が設けられ、前記配索部は、底壁と、該底壁から立設して互いに対向する一対の対向壁と、を備え、前記一対の対向壁のうち、前記収容部から離れた側の一方の前記対向壁には、前記突出部が設けられ、前記収容部に近接した側の他方の前記対向壁には、その外面に、前記係止部に係止される係止受け部が設けられ、前記係止部が前記係止受け部に係止されることにより、前記カバーによって前記配索部の開口を覆った状態が維持されることを特徴とする。
【００１１】
請求項４記載の本発明は、請求項３記載の本発明において、前記係止部及び前記係止受け部は、前記突出部の前記配列方向側に位置をずらされて設けられていることを特徴とする。
【００１２】
請求項５記載の本発明は、正極及び負極が交互に逆向きに重ね合わされた複数の電池から構成された電池集合体と、請求項１乃至請求項３のうちいずれか一項に記載されたバスバモジュールと、を備えたことを特徴とする電源装置である。
【発明の効果】
【００１３】
請求項１、５記載の本発明によれば、ケースには、電池の配列方向に沿って設けられて、端子に接続される電線を配列方向に沿って配索させる樋形状の配索部と、該配索部の開口を覆うカバーと、が設けられ、配索部とカバーとの間には、配索部とカバーとのうちいずれか一方から突出して形成されて、他方に当接される突出部が設けられている。配索部とカバーとの間には、突出部が設けられているから、カバーが配索部の開口を覆った状態で、他方は、一方に形成された突出部に当接されることとなり、配索部とカバーとの接触面積が小さくされるから、一方と他方との間で生じる電線の噛み込みを抑制することができる。
【００１４】
請求項２記載の発明によれば、突出部は、突出方向に向かうに従って配列方向の寸法が徐々に小さくなるように形成されているから、配索部とカバーとの接触面積が、より一層、小さくされ、より一層、配索部内を配索された電線の噛み込み抑制することができる。
【００１５】
請求項３記載の発明によれば、配索部に並設されて、各バスバ、及び、各端子を収容する収容部と、カバーに連続されているとともに、収容部と連結された連結部と、をさらに備え、連結部には、係止部が設けられ、配索部は、底壁と、該底壁から立設して互いに対向する一対の対向壁と、を備え、一対の対向壁のうち、収容部から離れた側の一方の対向壁には、突出部が設けられ、収容部に近接した側の他方の対向壁には、その外面に、係止部に係止される係止受け部が設けられ、係止部が係止受け部に係止されることにより、カバーによって配索部の開口を覆った状態が維持される。ここで、従来技術において、係止受け部は、配索溝の開口縁部に設けられていて、係止部の係止受け部への係止力は、配索溝の開口縁部に直接作用していたから、信号線を噛み込んだ場合には、配索溝の開口縁部と溝カバーとの間に隙間を生じさせるように撓ませることができず、信号線を配索溝に収容する際の作業性が悪かったが、配索部の開口から離れた位置で、係止部を係止受け部に係止させることで、係止部の係止受け部への係止力が、配索部とカバーとの接触部分に直接作用しないから、例えば、配索部とカバーとの間で電線を噛み込むことがあっても、一方（例えばカバー）を、配索部とカバーとの間に隙間が生じるように撓ませることにより、他方（例えば配索部）に電線を押し込むことができる。よって、電線を配索部に収容する際の作業性の向上を図ることができる。
【００１６】
請求項４記載の発明によれば、係止部及び係止受け部は、突出部の配列方向側に位置をずらされて設けられているから、さらに、配索部の開口から離れた位置で、係止部を係止受け部に係止させることができる。また、突出部と対向する位置に、配索部内に電線を導入するための導入口が設けられていた場合には、電線に干渉することなく、係止部を係止受け部に係止させることができる。
【図面の簡単な説明】
【００１７】
【図１】本発明の一実施の形態にかかる電源装置の分解斜視図である。
【図２】前記電源装置を構成するバスバモジュールを別の方向から見た斜視図である。
【図３】前記バスバモジュールの組み立て作業する様子を示す斜視図であり、（Ａ）は、カバーが配索部の開口を露出する開位置にある状態を示す図であり、（Ｂ）は、カバーが配索部の開口を閉じる閉位置にある状態を示す図である。
【図４】従来のバスバモジュールを示す平面図である。
【発明を実施するための形態】
【００１８】
以下、本発明の一実施の形態にかかるバスバモジュール及び電源装置を図１乃至図３を参照して説明する。
【００１９】
図１に示すように、バスバモジュール１は、同図に示す電池集合体２の上面に取り付けられて電源装置１０を構成するものである。この電源装置１０は、電動モータを用いて走行する電気自動車や、エンジンと電動モータとを併用して走行するハイブリッド自動車などに搭載され、前記電動モータに電力を供給するものである。
【００２０】
電池集合体２は、図１に示すように、複数の電池２０と、これら複数の電池２０を互いに重ねて固定する固定部材（図示しない）と、を有している。また、各電池２０は、箱型の筐体内に電解液が充填された電池本体２１と、この電池本体２１の一方の側面及び、他方の側面からそれぞれ突出した正極２２（「電極」の一例）及び負極２３（「電極」の一例）と、を有している。これら正極２２及び負極２３は、それぞれ、導電性の金属により円柱状に形成されており、その外周面には、ナット２Ａと螺合するネジ溝が形成されている。
【００２１】
さらに、複数の電池２０には、これら電池２０の重なり方向に沿って正極２２及び負極２３が直線上に交互に並ぶように二列に配列されている。ここで、図１中の矢印Ｙは、複数の電池２０の配列方向、及びバスバモジュール１の長手方向を示し、矢印Ｘは、バスバモジュール１の幅方向を示し、矢印Ｚは、バスバモジュール１の高さ方向を示している。また、本明細書では、バスバモジュール１の高さ方向を、上下方向と記す場合がある。
【００２２】
バスバモジュール１は、前述した複数の電池２０を直列接続するものであり、図１に示すように、互いに隣り合う電池２０の正極２２と負極２３とを接続することで複数の電池２０を直列に接続する複数のバスバ３と、各バスバ３に電気的に接続されて各電池２０の電圧を検出する複数の電圧検出用端子４（「端子」の一例）と、各電圧検出用端子４に接続される複数の電圧検出線５（「電線」の一例）と、これら複数のバスバ３、複数の電圧検出用端子４、及び複数の電圧検出線５を収容するケース６と、を有している。バスバモジュール１は、複数の電池２０のうち両端に位置するとともに互いに異なる極性の電極に前記電動モータが接続されて、当該電動モータに電力を供給する。
【００２３】
複数のバスバ３は、それぞれ、金属板にプレス加工等が施されて得られるものであり、図２に示すように、長方形板状の金属板に、互いに隣り合う電極の正極２２及び負極２３を挿入する一対の貫通孔３ａが形成された構成である。このバスバ３は、一対の貫通孔３ａに挿入した正極２２及び負極２３にナット２Ａが螺合されることで、これら正極２２及び負極２３に固定されるとともに電気的に接続される。
【００２４】
複数の電圧検出用端子４は、それぞれ、金属板にプレス加工等が施されて得られるものであり、図２に示すように、矩形板状の端子本体４１と、この端子本体４１に連続して形成されて端子本体４１と電圧検出線５とを接続させる図示しない電線接続部と、を備えている。端子本体４１には、その中央に貫通孔４ａが形成されている。各電圧検出用端子４は、その貫通孔４ａ内に電池２０の正極２２又は負極２３のいずれか一方が挿入されるとともに各バスバ３に重ねられて、各バスバ３と電気的に接続されるとともに、その電線接続部で電圧検出線５と電気的に接続される。
【００２５】
ケース６は、電池集合体２の上面と略等しい略長方形に形成されており、電池集合体２の上面に重ねられる。ケース６は、図３にも示すように、各バスバ３とこのバスバ３に重ねられた各電圧検出用端子４とをそれぞれ収容可能な箱状に形成されかつ矢印Ｙ方向に沿って直線上に連結された複数のバスバ収容部７「（収容部）の一例」と、複数のバスバ収容部７の並び方向に平行な直線上に並設して設けられて電圧検出用端子４に接続された電圧検出線５を矢印Ｙ方向に配索させる樋状の配索部８と、各バスバ収容部７の開口縁部にヒンジ９０を介して回動自在に連結されて、配索部８の開口の一部を覆う覆い位置と、配索部８の開口全部を露出する露出位置と、に回動自在な回動部９と、を備えて構成されている。
【００２６】
複数のバスバ収容部７は、それぞれ、内側にバスバ３を取り囲む周壁７Ａと、周壁７Ａの矢印Ｙ方向の中央部において、矢印Ｘ方向の一端から他端まで連続して設けられて表面上にバスバ３を載置させる基壁７Ｂと、を備えている。また、バスバ収容部７は、基壁７Ｂの矢印Ｙ方向の両側が、電池２０の電極２２、２３を挿通させるために開口している。
【００２７】
周壁７Ａは、バスバモジュールの長手方向（矢印Ｙ方向）に対向するとともに、配索部８に連続された一対の側壁７０、７１と、一対の側壁７０、７１に連続された連続壁７２と、を備えている。連続壁７２には、内面に、基壁７Ｂ上に載置されたバスバ３を係止する係止爪７３Ａと、基壁７Ｂ上に載置されたバスバ３に重ねられた電圧検出用端子４を係止する係止爪７３Ｂと、が設けられている。係止爪７３Ａは、矢印Ｙ方向の一方側に設けられ、係止爪７３Ｂは、係止爪７３Ａの矢印Ｙ方向の他方側に設けられている。
【００２８】
配索部８は、バスバ収容部７の基壁７Ｂと同一平面に連続して形成されて表面上に電圧検出線５を載置する底壁８０と、底壁８０の幅方向（矢印Ｘ方向）の両縁から立設して形成された一対の立設壁（「一対の対向壁」の一例）８１、８２と、を備えている。一対の立設壁８１、８２の高さ寸法は、周壁７Ａの高さ寸法よりも大きく形成され、一対の立設壁８１、８２（配索部８）は、その頂部が、周壁７Ａ（バスバ収容部７）の頂部よりも高い位置に設けられている。
【００２９】
一対の立設壁８１、８２のうち、バスバモジュールの幅方向（矢印Ｘ方向）のバスバ収容部７から離れた側の一方の立設壁８１（「一方の対向壁」の一例）配索部８からカバー９１に向かって上方に突出して形成された突出部８３が設けられている。突出部８３は、配索部８の導入口８Ａの矢印Ｘ方向に延長された位置に設けられている。この突出部８３は、上方に向かうに従って矢印Ｙ方向の寸法が徐々に小さくなるように形成された半円状に形成されている。
【００３０】
他方の立設壁８２（「他方の対向壁」の一例）、即ち、バスバモジュールの幅方向（矢印Ｘ方向）のバスバ収容部７に近接した側の立設壁８２には、バスバ収容部７から導出された電圧検出線５を配索部８の内部に導入させる導入口８Ａが設けられている。導入口８Ａは、ヒンジ９０の矢印Ｘ方向に延長された位置に設けられている。さらに、他方の立設壁８２には、その外面に、後述する回動部９の係止部９４に係止されて、回動部９のカバー９１を配索部８の開口を覆う覆い位置で維持させるための係止受け部８４（図２に示す）が設けられている。係止受け部８４は、導入口８Ａの矢印Ｙ方向の他方側に隣接した位置に設けられている。
【００３１】
係止受け部８４は、図２に示すように、他方の立設壁８２の上端から下方に間隔をあけた位置に設けられている。この係止受け部８４は、上下方向（矢印Ｚ方向）に貫通する枠状に形成されていて、枠状の係止受け部８４を構成する壁部のうち、矢印Ｘ方向の立設壁８２側の壁部の下端に、回動部９の係止部９４が係止するように構成されている。
【００３２】
回動部９は、図３に示すように、矢印Ｙ方向を中心として１８０度回動自在にバスバ収容部７に連結されている。回動部９は、配索部８の開口の一部を覆うカバー９１と、ヒンジ９０に連続されるとともにカバー９１と平行に設けられた平行部９２と、平行部９２に連続されてカバー９１に向かって立ち上がる立ち上がり部９３と、平行部９２に連続して設けられた係止部９４と、を備えている。カバー９１、平行部９２、及び立ち上がり部９３は、矢印Ｘ方向に沿って直線上に並んで設けられ、係止部９４は、これらのカバー９１、平行部９２、及び立ち上がり部９３の矢印Ｙ方向の一方側に設けられている。カバー９１、平行部９２、及び立ち上がり部９３の矢印Ｙ方向の寸法は、導入口８Ａの矢印Ｙ方向の寸法よりも僅かに大きく形成されているとともに、バスバ３の一対の貫通孔３ａ間の寸法（電池２０の電極２２、２３間の寸法）よりも小さくなるように形成されている。平行部９２及び立ち上がり部９３は、請求項中の「連結部」の一例に相当する。
【００３３】
ヒンジ９０は、バスバ収容部７の連続壁７２と平行部９２との間に、連続壁７２及び平行部９２に一体に設けられている。このヒンジ９０は、撓み易くするために、平行部９２よりも幅狭に形成され、かつ、薄肉に形成されている。
【００３４】
カバー９１は、矩形板状に形成されていて、その矢印Ｘ方向の寸法が、配索部８の矢印Ｘ方向の寸法よりも大きくなるように形成されている。
【００３５】
平行部９２は、矩形板状に形成されていて、その矢印Ｘ方向の寸法が、バスバ収容部７の矢印Ｘ方向の寸法と略等しくなるように形成されている。この平行部９２には、矢印Ｙ方向の一方側に係止部９４が設けられ、矢印Ｙ方向の他方側に電圧検出用端子４に接続された電圧検出線５の移動を規制する規制片９５が設けられている。
【００３６】
係止部９４は、平行部９２の立ち上がり部９３側（矢印Ｘ方向側）の端部のから矢印Ｙ方向の一方側に延在して形成された延在部９６と、カバー９１が配索部８の開口を覆った状態で、延在部９６からバスバ収容部７の係止受け部８４内に向かって突出し、かつ、係止受け部８４内に挿入される板状の挿入部９７と、挿入部９７から突出して設けられ、係止受け部８４に係止される爪部（図示しない）と、を備えている。
【００３７】
規制片９５は、平行部９２の立ち上がり部９３側（矢印Ｘ方向側）の端部の、矢印Ｙ方向の他方側の端部に設けられ、平行部９２からバスバ収容部７の基壁７Ｂに向かって突出して基壁７Ｂに当接するように形成されている。また、規制片９５は、カバー９１が配索部８の開口を覆った状態で、導入口８Ａの矢印Ｙ方向の他方側の開口縁に当接するように形成されている。
【００３８】
立ち上がり部９３は、カバー９１から平行部９２までの長手寸法が、配索部８の頂部とバスバ収容部７の頂部との寸法差に、突出部８３の最も大きい出寸法（矢印Ｚ方向の寸法）を加算した寸法と、略等しくなるように形成されている。
【００３９】
続いて、上記構成の電源装置１０の組み立て手順を、図３を参照して説明する。まず、バスバ３、電圧検出用端子４、ケース６などを別々に製造しておく。そして、各バスバ３をケース６の各バスバ収容部７に押し込んで係止爪７３Ａで係止する。さらに、バスバ３に電圧検出用端子４を重ねるようにバスバ収容部７に押し込んで係止爪７３Ｂで係止する。バスバ収容部７に設けられた基壁７Ｂ側の開口とバスバ３に設けられた一対の貫通孔３ａとが重なるとともに、バスバ収容部７、及びバスバ３の一対の貫通孔３ａのうち一方に電圧検出用端子４に設けられた貫通孔４ａが重なる。さらに、各電圧検出用端子４に各電圧検出線５の一端部を接続する。各電圧検出線５の他端側を、導入口８Ａ内に挿入させて、配索部８内に配索させる。
【００４０】
そして、回動部９を図３（Ａ）に示す開位置から、１８０度回動させて図３（Ｂ）に示す閉位置に位置付ける。すると、規制片９５がバスバ収容部７の基壁７Ｂに当接する。また、係止部９４が係止受け部８４内に進入して、爪部が係止受け部８４の下端に係止される。これと同時に、カバー９１が、突出部８３の頂部に接触されて、配索部８の開口の一部が覆われる。
【００４１】
このように、配索部８とカバー９１との間には、突出部８３が設けられているから、カバー９１が配索部８の開口を覆った状態で、カバー９１は、配索部８に形成された突出部に当接されることとなり、配索部８とカバー９１との接触面積が小さくされるから、配索部８とカバー９１との間で生じる電圧検出線５の噛み込みを抑制することができる。
【００４２】
ここで、例えば、配索部８とカバー９１との間で電圧検出線５を噛み込むことがあっても、配索部８の開口から離れた位置で、係止部９４を係止受け部８４に係止させることにより係止部９４の係止受け部８４への係止力を、配索部８とカバー９１との接触部分に直接作用させないから、カバー９１を、配索部８とカバー９１との間に隙間を生じさせるように撓ませることにより、配索部８内に電圧検出線５を押し込むことができる。こうして、バスバモジュール１の組み立てが完了する。
【００４３】
上述した手順で組み立てられたバスバモジュール１は、電池集合体２の上面に重ねられ、ケース６の基壁７Ｂ側の開口、バスバ３の貫通孔３ａ、電圧検出用端子４の貫通孔４ａを挿入された正極２２、及び負極２３にナットが螺合されて、電池２０の電極２２、２３、バスバ３及び電圧検出線５が電気的に接続されて、電源装置１０の組み立てが完了する。
【００４４】
以上、本発明について、好ましい実施形態を挙げて説明したが、本発明は上記実施形態の構成に限定されるものではない。上述した実施形態では、突出部８３は、配索部８から突出して形成されていたが、本発明はこれに限定されるものではない。突出部８３は、カバー９１から突出して形成されていてもよい。また、突出部８３の形状は、カバー９１に向かうに従って矢印Ｙ方向の寸法が徐々に小さくなるように形成された半円状に形成されていたが、本発明はこれに限定されるものではない。カバー９１に向かうに従って配列方向（矢印Ｙ方向）の寸法が徐々に小さくなるように形成されていれば、三角形状であってもよく、その形状は任意である。
【００４５】
また、回動部９は、各バスバ収容部７の開口縁部にヒンジ９０を介して回動自在に連結されていたが、本発明はこれに限定されるものではない。回動部９は、各バスバ収容部７と別体に形成されていてもよい。その場合には、ヒンジ９０は省略してもよい。また、係止部９４及び係止受け部８４は、突出部８３の配列方向Ｙ側に位置をずらされて設けられていたが、本発明はこれに限定されるものではない。係止部９４及び係止受け部８４は、突出部８３の矢印Ｘ方向に並ぶ位置に設けられていてもよい。また、平行部９２及び立ち上がり部９３（「連結部」の一例）は、Ｌ字状に形成されていたが、本発明はこれに限定されるものではない。平行部９２及び立ち上がり部９３は、平板状に設けられていてもよい。
【００４６】
なお、前述した各実施形態は本発明の代表的な形態を示したに過ぎず、本発明は実施形態に実施形態に限定されるものではない。即ち、当業者は、従来公知の知見に従い、本発明の骨子を逸脱しない範囲で種々変形して実施することができる。かかる変形によってもなお本発明のバスバモジュール１の構成を具備する限り、もちろん、本発明の範疇に含まれるものである。
【符号の説明】
【００４７】
１    バスバモジュール
１０  電源装置
２    電池集合体
３    バスバ
４    電圧検出用端子（「端子」の一例）
５    電圧検出線（「電線」の一例）
６    ケース
８    配索部
８３  突出部
９１  カバー
Ｙ    配列方向
【図１】
2014220067.tif 000003
【図２】
2014220067.tif 000004
【図３】
2014220067.tif 000005
【図４】
2014220067.tif 000006